(57)【要約】【課題】従来、粉ミルクやコーヒーなどが入った筒状の缶容器にあっては、容器の蓋を用いて密封包装をして内容物への湿気・臭い・異物等の侵入を防ぐ為にピルファープルーフを用いた容器がある。この場合、缶容器が手指のかかりのない容器本体にあっては、ピルファープルーフのある容器の蓋をこじ開けて開封しやすいのでその対策を講じた容器の蓋を提供する。【解決手段】容器本体の開口部へ被せ密封する上蓋部２と、容器本体の外周径より小さく形成し容器本体へ巻き付き密着するバンド部５と、上蓋部とハンド部の間を連結するピルファープルーフ部３とから成る構成の容器の蓋である。【選択図】図１
2006282174.tif 000002
【特許請求の範囲】
【請求項１】
容器本体の開口部へ被せ密封する上蓋部と、前記容器本体の外周より小さい外周で容器本体へ密着するバンド部と、上蓋部とバンド部の間を連結するピルファープルーフ部と、一端が前記ピルファープルーフ部と一体に形成された切離用摘み部とから成り、前記バンド部を拡張して容器本体の開口部へ圧入し装着する容器の蓋であって、前記ピルファープルーフ部と前記上蓋部の間及び前記ピルファープルーフ部と前記バンド部の間にはそれぞれ切離が容易となる第一薄肉部が形成され、前記切離用摘み部は上蓋部、ピルファープルーフ部及びバンド部の少なくとも一つと複数箇所で連結する連結部を備え、前記切離用摘み部の他端位置のピルファープルーフ部に第二薄肉部を形成し、前記切離用摘み部を前記連結部から切離して前記ピルファープルーフ部を上蓋部とバンド部から前記第二薄肉部の位置で分離して、残った前記ピルファープルーフ部をヒンジ部とすることを特徴とする容器の蓋。 
【発明の詳細な説明】
【技術分野】
【０００１】
本発明は、主に粉状、粒状などの内容物が密封包装されていているもの、例えば、粉ミルクやコーヒーなどが入った容器の蓋に関するものである。
【背景技術】
【０００２】
従来、粉ミルクやコーヒーなどが入った筒状の缶容器にあっては、容器の蓋を用いて密封包装をして内容物への湿気・臭い・異物等の侵入を防ぐ為にピルファープルーフを用いた容器がある。この場合、外部から容器の蓋をこじ開けて開封する対策が必要であるが、その対策として、手指のかかりのない容器本体の缶容器などには、特許文献１に記載のピルファープルーフバンドの下端周方向に複数の折り返し羽根を形成し内側へ折り曲げて装着するオーバーキャップか、特許文献２に記載のピルファープルーフバンドの下端にバンド延長部を設けたオーバーキャップを装着後、バンド延長部を熱収縮させて容器本体とバンド延長部に手指が入る空隙をなくし手指のかかりを防止していた。
【０００３】
【特許文献１】特開２００４−１６１３２５号公報
【特許文献２】特開２００４−１９６３３８号公報
【発明の開示】
【発明が解決しようとする課題】
【０００４】
手指のかかりのない容器本体の缶容器などには、特許文献１に記載のピルファープルーフバンドの下端周方向に互いに間隔をおいて複数の折り返し羽根を設けて折り返し羽根をピルファープルーフバンドの内側へ折り曲げる場合では、折り曲げられた状態の折り返し羽根に厚みがでるため、容器本体と折り曲げられた折り返し羽根との間に空隙が発生し、折り返し羽根を手指に引っかけて持ち上げることは可能となる。更に、折り返し羽根を折り曲げるためには折り返し羽根が形成されていない連結部が複数間隔で形成されることから、一端折り返し羽根を手指で引っかけてオーバーキャップを持ち上げた状態で連結部と容器本体の間にできた空隙から手指などを引っかけてオーバーキャップをこじ開けることは可能であり、その行為によって発生するキズについては、折り返し羽根で折り曲げられた箇所は肉厚となるためキズがつきにくく、再び、折り返し羽根を折り曲げて容器本体へ装着することも容易であるため、外部からのこじ開けがあったかどうかを判断するのは困難な状態であった。
【０００５】
そこで、外部からのこじ開けが明確に判断できる方法として、特許文献２に記載のオーバーキャップを装着後ピルファープルーフバンドの下端のバンド延長部を熱収縮させて容器本体とバンド延長部の接する面に手指のかかる空隙を発生させない場合では、バンド延長部を熱収縮させるための専用装置が必要となる上、実際に熱収縮を行うための専用装置を使用しても熱のあたり具合の調整が難しく、そのために熱ムラが発生しバンド延長部を安定的に熱収縮させることが困難であった。また、熱を外部から与えるために熱を与えても問題が発生しない内容物に限定されてしまう上、オーバーキャップの樹脂原料も熱収縮がしやすい材質に限定されてしまっていた。
【０００６】
本発明の目的は、上記課題を解決し、手指のかかりのない容器本体の缶容器などにおいて容器の蓋をこじ開けて開封しやすいのでその対策を講じた容器の蓋を提供することである。
【課題を解決するための手段】
【０００７】
容器本体の開口部へ被せ密封する上蓋部と、前記容器本体の外周より小さい外周で容器本体へ密着するバンド部と、上蓋部とバンド部の間を連結するピルファープルーフ部と、一端が前記ピルファープルーフ部と一体に形成された切離用摘み部とから成り、前記バンド部を拡張して容器本体の開口部へ圧入し装着する容器の蓋であって、前記ピルファープルーフ部と前記上蓋部の間及び前記ピルファープルーフ部と前記バンド部の間にはそれぞれ切離が容易となる第一薄肉部が形成され、前記切離用摘み部は上蓋部、ピルファープルーフ部及びバンド部の少なくとも一つと複数箇所で連結する連結部を備え、前記切離用摘み部の他端位置のピルファープルーフ部に第二薄肉部を形成し、前記切離用摘み部を前記連結部から切離して前記ピルファープルーフ部を上蓋部とバンド部から前記第二薄肉部の位置で分離して、残った前記ピルファープルーフ部をヒンジ部とすることを特徴とする容器の蓋である。 
【発明の効果】
【０００８】
容器本体の開口部へ被せ密封する上蓋部と、前記容器本体の外周より小さい外周で容器本体へ密着するバンド部と、上蓋部とバンド部の間を連結するピルファープルーフ部と、一端が前記ピルファープルーフ部と一体に形成された切離用摘み部とから成り、前記バンド部を拡張して容器本体の開口部へ圧入し装着することで、容器本体の外周に沿って収縮したバンド部が容器本体へ密着し容器本体とバンド部の密着部分に手指かけ空隙ができないため、手指のかかりのない容器本体の缶容器などに装着でき、無理矢理本発明である容器の蓋を取り外そうとすれば、前記バンド部と容器本体に破壊された傷跡が残るためイタズラ行為の有無を容易に知ることができる。
【０００９】
また、前記ピルファープルーフ部と前記上蓋部の間及び前記ピルファープルーフ部と前記バンド部の間にはそれぞれ切離が容易となる第一薄肉部が形成され、前記切離用摘み部は上蓋部、ピルファープルーフ部及びバンド部の少なくとも一つと複数箇所で連結する連結部を備え、前記切離用摘み部の他端位置のピルファープルーフ部に第二薄肉部を形成し、前記切離用摘み部を前記連結部から切離して前記ピルファープルーフ部を上蓋部とバンド部から前記第二薄肉部の位置で分離して、残った前記ピルファープルーフ部がヒンジ部と
なるため、前記ピルファープルーフ部を取り除いた後でも容器本体と密着し固着状態となったバンド部には、バンド部とヒンジ部とで連結した上蓋部の開封後に容器本体にぶら下がり離脱することはなく、そのため内容物を取り出す際に、前記蓋をホコリがついた机や水滴が付着している台所の台上へおく必要がないため衛生的な容器の蓋１を提供することができる。更に、前記容器本体の開口部と上蓋部は気密を保つ構造であるため、繰り返し容器の蓋を開閉しても湿気や臭いなどの侵入を防ぐことができる。
【発明を実施するための最良の形態】
【００１０】
図１乃至図５において、容器本体８ａの開口部８ｂへ被せ密封する上蓋部２と、前記容器本体８ａの外周より小さい外周で容器本体８ａへ密着するバンド部５と、上蓋部２とバンド部５の間を連結するピルファープルーフ部３と、一端が前記ピルファープルーフ部３と一体に形成された切離用摘み部４とから成り、前記バンド部５を拡張して容器本体８ａの開口部８ｂへ圧入し装着する容器の蓋１を構成する。これにより、前記容器本体８ａとバンド部５の密着部分に手指かけとなる空隙ができず、無理矢理容器の蓋１を取り外そうとすれば、前記バンド部８ａと容器本体８ｂに破壊された傷跡が残りイタズラ行為の有無が容易に判断できる。
【００１１】
図２乃び図３において、図１に示す前記切離用摘み部４は上蓋部２、ピルファープルーフ部３及びバンド部５の少なくとも一つと複数箇所で連結する連結部４ａを備え、前記連結部４ａは切離用摘み部４のめくれ防止作用を有するものである。また、前記連結部４ａをピルファープルーフ部３から分離してピルファープルーフ部３を上蓋部２とバンド部５から切離して連結部４ａの位置を残してヒンジ部６が形成される。
【００１２】
図３及び図４において、容器本体８ａは溝状の円周突起などの手指のかかりが形成されておらず、前記容器本体８ａの開口部８ｂに、前記バンド部５を拡張して圧入し装着するとフランジ部８ｃと嵌合部２ａの凹凸形状が合致して密封構造となる。また、前記バンド部５と容器本体８ａが接する面は密着されバンド部５と容器本体８ａの境目である密着部５ａには段差が発生しない構造となる。
【００１３】
図４において、図１に示す前記ピルファープルーフ部３と前記上蓋部２の間及び前記ピルファープルーフ部３と前記バンド部５の間にはそれぞれ切離が容易となる第一薄肉部３ａが形成される。
【００１４】
図５、図６及び図９において、前記切離用摘み部４の他端位置のピルファープルーフ部３に第二薄肉部６ａを形成し、前記切離用摘み部４を前記連結部４ａから切離して前記ピルファープルーフ部３を上蓋部２とバンド部５から前記第二薄肉部６ａの位置で分離して、残った前記ピルファープルーフ部３がヒンジ部６となる。
【００１５】
図７において、ピルファープルーフ部３が切離後ピルファープルーフ部３が切離された箇所には空隙部７となる空隙ができる。
【００１６】
図８において、前記ピルファープルーフ部３が取り除かれた状態で、上蓋部２の開閉が可能となる。開閉方法については、切離用摘み部４を手指で摘み引き上げ連結部４ａをピルファープルーフ部３から分離させピルファープルーフ部３をはがしながら切離し、ヒンジ部６を基点として上蓋部２をめくり開封し、内容物を取り出して後、ヒンジ部６を基点に上蓋部２とフランジ部８ｃとを密着させ嵌合するように閉封することで気密が保つ構造となり、開封後、繰り返し容器の蓋１を開閉しても湿気や臭いなどの侵入を防ぐことができる。また、前記ピルファープルーフ部３を取り除いた後でも容器本体８ａと密着し固着状態となったバンド部５には、バンド部５とヒンジ部６とで連結した上蓋部２が開封後に容器本体８ａにぶら下がり離脱することはないため、内容物を取り出す際に容器の蓋１をホコリがついた机や水滴が付着している台所の台上へおく必要がないため衛生的な容器の蓋１を提供することができる。
【００１７】
図１０において、容器の蓋１は図４に示す構造と同じであるが、上蓋部２の上面２ｂまたは下面２ｃの少なくとも一面側に、面粗度平均粗さが１．１〜１．６μｍ程度の凹凸形状となる凹凸面９を施すことによって、内容物に対しての遮光の効果を得ることができ、その効果で内容物の変色・劣化を防止する事が出来る。よって内容物が粉ミルクなどである場合は、乳及び乳製品の成分規格などに関する省令の衛生基準（略称、乳等省令）に適合した容器の蓋１を提供することができる。
【００１８】
なお、本発明の容器の蓋１をポリエチレン樹脂やポリプロピレン樹脂で上蓋部２とバンド部５とピルファープルーフ部３と摘み部４と連結部４ａとを一体に成形することにより、反転バネ性のあるヒンジ部６を提供することができる。
【産業上の利用可能性】
【００１９】
本発明は、主に粉状、粒状などの内容物が密封包装されていているもの、たとえば、粉ミルクやコーヒーが入った缶容器など容器形状が筒状で、手指のかかりのない容器本体の缶容器などに装着できる容器の蓋として利用できる。
【図面の簡単な説明】
【００２０】
【図１】本発明の実施形態を示す容器の蓋の正面図である。
【図２】同実施形態の摘み部周辺の平面図である。
【図３】同実施形態の摘み部周辺の断面図である。
【図４】同実施形態のピルファープルーフ部周辺の断面図である。
【図５】ピルファープルーフ部が一部切離された状態を示す同実施形態の側面図である。
【図６】ピルファープルーフ部が切離された状態のヒンジ部を示す同実施形態の断面図である。
【図７】ピルファープルーフ部が切離された状態の空隙部を示す同実施形態の断面図である。
【図８】上蓋部が開封した状態を示す同実施形態の断面図である。
【図９】図５記載のＡ−Ａ方向の断面図である。
【図１０】容器の蓋に係る異なる実施形態の断面図である。
【符号の説明】
【００２１】
１      容器の蓋
２      上蓋部
２ａ    嵌合部
２ｂ    上面
２ｃ    下面
３      ピルファープルーフ部
３ａ    第一薄肉部
４      摘み部
４ａ    連結部
５      バンド部
５ａ    密着部
６      ヒンジ部
６ａ    第二薄肉部
７      空隙部
８ａ    容器本体
８ｂ    開口部
８ｃ    フランジ部
９      凹凸面
【図１】
2006282174.tif 000003
【図２】
2006282174.tif 000004
【図３】
2006282174.tif 000005
【図４】
2006282174.tif 000006
【図５】
2006282174.tif 000007
【図６】
2006282174.tif 000008
【図７】
2006282174.tif 000009
【図８】
2006282174.tif 000010
【図９】
2006282174.tif 000011
【図１０】
2006282174.tif 000012